(57)【特許請求の範囲】
【請求項１】
給湯側熱交換器と風呂側熱交換器とを同一缶体内に収めて燃焼装置により加熱するようにし、浴槽側と風呂側熱交換器との間に循環回路を構成し、風呂側熱交換器をバイパスするように、開閉手段を有するバイパス路を循環回路に設け、風呂側熱交換器で加熱された湯を浴槽内に循環する風呂使用と、給湯側熱交換器で加熱された湯を給湯する給湯使用との両方を使用する同時ポジションから、給湯を停止した状態で風呂使用を継続する単独ポジションに変更する際に、前記給湯側熱交換器及び風呂側熱交換器の少なくとも一方の湯の温度をセンサで検出し、検出された湯の検知温度と設定温度とを比較し、検知温度が設定温度よりも高い場合には、風呂側熱交換器及びバイパス路の両方に湯を循環させ、検知温度が設定温度以下になった場合には、開閉手段によりバイパス路を閉じて浴槽内に吐出される湯の温度を制御するようにしたことを特徴とする風呂給湯装置の制御方法。
【請求項２】
給湯側熱交換器と風呂側熱交換器とを同一缶体内に収めて燃焼装置により加熱するようにし、浴槽側と風呂側熱交換器との間に循環回路を構成し、風呂側熱交換器をバイパスするように、開閉手段を有するバイパス路を循環回路に設け、風呂側熱交換器で加熱された湯を浴槽内に循環する風呂使用と、給湯側熱交換器で加熱された湯を給湯する給湯使用との両方を使用する同時ポジションから、給湯使用を停止した状態で風呂使用を継続する単独ポジションに変更する際に、給湯停止から所定の時間経過後に、開閉手段によりバイパス路を閉じて浴槽内に吐出される湯の温度を制御するようにしたことを特徴とする風呂給湯装置の制御方法。
【請求項３】
給湯側熱交換器と風呂側熱交換器とを同一缶体内に収めて燃焼装置により加熱するようにし、浴槽側と風呂側熱交換器との間に循環回路を構成し、風呂側熱交換器をバイパスするように、開閉手段を有するバイパス路を循環回路に設け、風呂側熱交換器で加熱された湯を浴槽内に循環する風呂使用と、給湯側熱交換器で加熱された湯を給湯する給湯使用との両方を使用可能な風呂給湯装置の制御装置において、前記給湯側熱交換器及び風呂側熱交換器の少なくとも一方の湯の温度を検出するセンサを設け、検出された湯の検知温度と設定温度とを比較する制御手段を設け、給湯使用と風呂使用との両方を使用する同時ポジションから、給湯使用を停止した状態で風呂使用を継続する単独ポジションに変更した際に、前記制御手段が、検知温度が設定温度よりも高い場合には、風呂側熱交換器及びバイパス路の両方に湯を循環させ、検知温度が設定温度以下になった場合には、開閉手段によりバイパス路を閉じて浴槽内に吐出される湯の温度を制御するようにしたことを特徴とする風呂給湯装置の制御装置。
【発明の詳細な説明】
【０００１】
【発明の属する技術分野】
本発明は、給湯使用と風呂使用との両方を使用する同時ポジション（給湯・風呂同時ポジション）から風呂単独使用の単独ポジションへ変更する際に、追いだき等の際に浴槽に吐出される湯の温度を制御する風呂給湯装置の制御方法及びその制御装置に関するものである。
【０００２】
【従来の技術】
従来、風呂給湯装置として、給湯側熱交換器と風呂側熱交換器とを同一缶体内に収めて燃焼装置により加熱するようにし、浴槽側と風呂側熱交換器との間に、循環回路が構成され、風呂側熱交換器をバイパスするように、開閉手段を有するバイパス路が循環回路に設けられ、風呂側熱交換器で加熱された湯を浴槽内に循環する風呂使用と、給湯側熱交換器で加熱された湯を給湯する給湯使用との両方を任意に使用可能としたものがある。
【０００３】
例えば、給湯と追いだきを同時に行なう場合には、給湯使用と風呂使用との両方を使用する同時ポジションにする。燃焼装置は、給湯側熱交換器と風呂側熱交換器の両方を加熱し、給湯側熱交換器内を流通する水は所定の温度に加熱されて給湯栓等から出湯される。一方、浴槽内の湯又は水（湯水）は、風呂側熱交換器を循環する際に加熱されて浴槽内に吐出される。
【０００４】
給湯使用の有無の判断は、給湯側熱交換器の入口側に接続された水量センサにより、給湯側熱交換器に入る水量を検出することにより行なっていた。従って、給湯栓からの給湯を停止すると、水が給湯側熱交換器側を流れなくなったのを水量センサが検出し、追いだき運転ができるように、給湯側に温度制御されていた燃焼装置は、追いだき用のオン・オフ制御に切り替わると同時に、前記開閉手段を閉じて、バイパス路に湯水が流入するのを阻止する単独ポジションに切り替わっていた。
【０００５】
【発明が解決しようとする課題】
給湯・風呂同時ポジション時には、給湯側に応じて両方の熱交換器の湯の温度は高温となるが、風呂側熱交換器で加熱された湯は、バイパス路を流通する低温の湯水と混合され、所定の温度の状態で浴槽内に吐出されるようになっている。
【０００６】
しかしながら、入浴者が給湯を停止して風呂単独ポジションに切り替わると、燃焼装置は、給湯・風呂同時使用時よりも発熱量が減少するオン・オフ制御に切り替わるものの、給湯側熱交換器内には、湯が流通しなくなるため熱交換されず、缶体内では能力余りの状態となり、缶体内の予熱による熱容量を風呂側熱交換器が奪うこととなる。
【０００７】
この結果、風呂側熱交換器内の湯は一時的に急激に加熱されることとなり、その温度は８０〜９５°Ｃまで上昇する場合がある。また、水量センサが給湯停止を検知すると、開閉手段によりバイパス路は閉じられるため、高温の湯は、直接浴槽内に吐出されることとなり、入浴者に不快感や熱感を与えるおそれがあった。
【０００８】
本発明は上記従来の欠点に鑑みてなされたものであり、給湯・風呂同時ポジションの状態から、風呂単独ポジションに変更する際に、風呂側熱交換器の検知温度が設定温度より高温の場合には、風呂側熱交換器で加熱された湯と、バイパス路内を流通する低温の湯水とを混合して浴槽内に吐出し、風呂側熱交換器の検知温度が設定温度以下となったら、バイパス路を閉じるようにすることで、高温の湯が浴槽内に吐出されるのを防止することを課題とする。
【０００９】
【課題を解決するための手段】
本発明は、上記課題を解決すべく風呂給湯装置の制御方法及びその制御装置としてなされたものであり、請求項１に記載の風呂給湯装置の制御方法の特徴は、給湯側熱交換器と風呂側熱交換器とを同一缶体内に収めて燃焼装置により加熱するようにし、浴槽側と風呂側熱交換器との間に循環回路を構成し、風呂側熱交換器をバイパスするように、開閉手段を有するバイパス路を循環回路に設け、風呂側熱交換器で加熱された湯を浴槽内に循環する風呂使用と、給湯側熱交換器で加熱された湯を給湯する給湯使用との両方を使用する同時ポジションから、給湯を停止した状態で風呂使用を継続する単独ポジションに変更する際に、前記給湯側熱交換器及び風呂側熱交換器の少なくとも一方の湯の温度をセンサで検出し、検出された湯の検知温度と設定温度とを比較し、検知温度が設定温度よりも高い場合には、風呂側熱交換器及びバイパス路の両方に湯を循環させ、検知温度が設定温度以下になった場合には、開閉手段によりバイパス路を閉じて浴槽内に吐出される湯の温度を制御するようにしたことにある。
【００１０】
上記風呂給湯装置の制御方法によれば、給湯・風呂同時ポジションの状態から、風呂単独ポジションに変更する際に、風呂側熱交換器の湯の温度が設定温度より高温の場合には、風呂側熱交換器で加熱された湯と、バイパス路内を流通する低温の湯水とを混合して浴槽内に吐出でき、高温の湯が浴槽内に吐出されることがない。
【００１１】
しかも、風呂側熱交換器の湯の温度が設定温度以下となると、バイパス路は閉じられるため、浴槽と風呂側熱交換器の間を循環する湯水が、バイパス路を流通することはなく、浴槽からの湯水は風呂側熱交換器に流入するため、浴槽内の湯が所望の温度となるまで追いだきを効率良く行なえる。
【００１２】
尚、給湯側熱交換器及び風呂側熱交換器の少なくとも一方の湯の温度を検出するのは、両方の熱交換器は同一缶体内に収められており、両方の湯が同等の温度に加熱されるためである。また、湯の温度を検出するとは、熱交換に直接設けたセンサで検出する以外に、缶体内の温度を検出する場合も含む。
更に、湯の温度が設定温度以下になるとは、湯の温度が設定温度と等しい場合も含む概念である。
【００１３】
請求項２に記載の風呂給湯装置の制御方法の特徴は、給湯側熱交換器と風呂側熱交換器とを同一缶体内に収めて燃焼装置により加熱するようにし、浴槽側と風呂側熱交換器との間に循環回路を構成し、風呂側熱交換器をバイパスするように、開閉手段を有するバイパス路を循環回路に設け、風呂側熱交換器で加熱された湯を浴槽内に循環する風呂使用と、給湯側熱交換器で加熱された湯を給湯する給湯使用との両方を使用する同時ポジションから、給湯使用を停止した状態で風呂使用を継続する単独ポジションに変更する際に、給湯停止から所定の時間経過後に、開閉手段によりバイパス路を閉じて浴槽内に吐出される湯の温度を制御することにある。
【００１４】
請求項３に記載の風呂給湯装置の制御装置としての特徴は、給湯側熱交換器と風呂側熱交換器とを同一缶体内に収めて燃焼装置により加熱するようにし、浴槽側と風呂側熱交換器との間に循環回路を構成し、風呂側熱交換器をバイパスするように、開閉手段を有するバイパス路を循環回路に設け、風呂側熱交換器で加熱された湯を浴槽内に循環する風呂使用と、給湯側熱交換器で加熱された湯を給湯する給湯使用との両方を使用可能な風呂給湯装置の制御装置において、前記給湯側熱交換器及び風呂側熱交換器の少なくとも一方の湯の温度を検出するセンサを設け、検出された湯の検知温度と設定温度とを比較する制御手段を設け、給湯使用と風呂使用との両方を使用する同時ポジションから、給湯使用を停止した状態で風呂使用を継続する単独ポジションに変更した際に、前記制御手段が、検知温度が設定温度よりも高い場合には、風呂側熱交換器及びバイパス路の両方に湯を循環させ、検知温度が設定温度以下になった場合には、開閉手段によりバイパス路を閉じて浴槽内に吐出される湯の温度を制御するようにしたことにある。
【００１５】
本発明の風呂給湯装置の制御装置では、給湯・風呂同時ポジションの状態から、風呂単独ポジションに変更する際に、センサが給湯側熱交換器及び風呂側熱交換器の湯の温度を検出し、その信号が制御手段に入力され、制御手段は、設定温度とセンサの信号により得られた検知温度とを比較する。そして、検知温度が設定温度よりも高温であれば、開閉手段を作動させることなくバイパス路を開いた状態にする。従って、風呂側熱交換器の湯の温度が設定温度より高温の場合には、風呂側熱交換器で加熱された湯と、バイパス路内を流通する低温の湯水とを混合して浴槽内に吐出でき、高温の湯が浴槽内に吐出されることがない。
制御装置は検知温度が設定温度以下となったと判断した場合には、開閉手段を作動させてバイパス路を閉じ、風呂単独ポジションに変更する。
【００１６】
【発明の実施の形態】
以下、添付図面を参照して本発明の実施の形態について説明する。図１及び図２は、本発明の一実施形態による風呂給湯装置１を示す。図２おいて、缶体２内には給湯側熱交換器３及び風呂側熱交換器４が一体的に配設されており、熱交換器３、４の下方には燃焼装置としての石油バーナ６及び送風ファン７が設けられ、缶体２の上面には排熱口５が開口されている。
【００１７】
前記石油バーナー６は、オイル供給路８に設けられた電磁弁９を開き、電磁ポンプ１０を運転すると、オイル（石油）がオイル供給路８を循環してノズル１１からミスト状に吐出され、ノズル１１から吐出されたミスト状のオイルはエアと混合され、燃焼する。また、石油バーナー６は、ノズル１１から吐出されるオイルに点火するための着火装置１２、燃焼を監視するための燃焼検知センサ（フレームロッド）１３を有している。送風ファン７は石油バーナー６に強制的にエアを供給しており、最適な空燃比でオイルを燃焼させる。
【００１８】
前記給湯側熱交換器３の入口側には給水路１４が、出口側には給湯路１５がそれぞれ接続され、出湯用給湯器が構成されている。給水路１４の入口側にはフィルタ１７が接続され、給水路１４の途中には、水量センサ１８及び入水温度センサ２１がそれぞれ接続されている。
１６は給湯側熱交換器３をバイパスすべく、給水路１４と給湯路１５との間に接続された給湯側バイパス路である。この給湯側バイパス路１６の水量は水比例弁１９により制御される。
【００１９】
前記給湯路１５は、水量サーボ弁２０を介して湯水混合路２５に接続されており、給湯側熱交換器３で加熱された湯と給湯側バイパス路１６を流れた水は混合され、しかも、水量サーボ弁２０によって制御されながら湯水混合路２５へ供給されるようになっている。
【００２０】
給湯路１５には缶体出湯温度センサ２２が取り付けられ、湯水混合路２５にはミキシング温度センサ２３が取り付けられている。従って、前記水量センサ１８、入水温度センサ２１、缶体出湯温度センサ２２、ミキシング温度センサ２３のそれぞれの出力信号（計測信号）は、図１に示す制御手段としてのコントローラ６０に入力される。コントローラ６０は、給湯側熱交換器３から給湯路１５へ出湯される缶体出湯温度や、湯水混合路２５へ出湯される湯水混合温度が設定値に等しくなるよう、石油バーナー６の火力や水比例弁１９等を制御する。
【００２１】
前記給湯側熱交換器３には、熱交換器温度センサ４６が取り付けられており、給湯側熱交換器３内の湯が沸騰するのを防止できるように、給湯側熱交換器３もしくはその残水の温度を検出し、その出力信号は前記コントローラ６０に入力される。
【００２２】
前記風呂側熱交換器４は風呂装置の一部を構成している。即ち、風呂装置は、石油バーナー６で加熱される風呂側熱交換器４と、戻り管路６１と、往き管路６２と、風呂側バイパス路３６と、気泡発生用バイパス路３７とから主構成されている。
【００２３】
前記戻り管路６１は、風呂側熱交換器４の入り口に接続された風呂側入水管３３と、浴槽４７の循環金具４８に接続された戻り管３２とからなる。戻り管３２には、湯の流れる上流側（浴槽４７側）から水位センサ３８、循環ポンプ３９、風呂側水流スイッチ４０及びサーミスタ等の湯温センサ４１がそれぞれ設けられている。
【００２４】
前記往き管路６２は、風呂側熱交換器４の出口側に接続された風呂側出湯管３４と浴槽４７の循環金具４８に接続された往き管３５とからなる。尚、循環金具４８にはエア管４５が接続されており、エア管４５は往き管３５に連通している。
【００２５】
前記風呂側バイパス路３６の一方は、前記風呂側入水管３３と戻り管３２との接続点から三方弁４２を介して分岐され、他方は風呂側熱交換器４をバイパスすべく、風呂側出湯管３４と往き管３５との接続点に合流するように接続されている。
【００２６】
前記三方弁４２の構造を図７（ａ）（ｂ）の断面図に示す。三方弁４２は、戻り管３２、風呂側バイパス路３６及び風呂側入水管３３に連通したケーシング４９内に円柱状をしたバルブ本体５１を回転自在に納めたものであり、バルブ本体５１には下面から側面にかけて略Ｌ字状に屈曲した水通路５２が開口されている。バルブ本体５１の下面に開口した水通路５２は常に戻り管３２内に連通しており、バルブ本体５１の側面に開口した水通路５２は、バルブ本体５１の回転に伴って風呂側入水管３３側（缶体側）と風呂側バイパス路３６側（バイパス側）との間で切り替わるようになっている。
【００２７】
バルブ本体５１は、前記コントローラ６０により制御されるステッピングモータ（パルスステップモータ）４３の回転軸５０に取付けられており、ステッピングモータ４３のステップ数を指定することにより回転角が制御され、所定範囲内の任意の角度で回転可能となっている。よって、缶体側で全開になった状態やバイパス側で全開になった状態に限らず、任意の半開状態でも用いることができる。
【００２８】
前記気泡発生用バイパス路３７は、風呂側熱交換器４及び風呂側バイパス路３６をさらにバイパスすべく、戻り管３２と往き管３５との間に接続され、その途中には二方弁４４が接続されている。この二方弁４４も前記三方弁４２と同様にそのステッピングモータ４４ａが前記コントローラ６０により制御される。即ち、コントローラ６０は、前記熱交換器温度センサ４６からの信号と設定値とを比較し、得られた検知温度Ｔｈが設定温度Ｔｓ以下となった場合に、前記気泡発生用バイパス路３７を閉じるように前記二方弁４４を作動させる。
尚、風呂側バイパス路３６は、前記三方弁４２をバイパス側に制御して循環判定や湯の落とし込み時に用いられるものであり、気泡発生用バイパス路３７は泡バス運転用にも用いられるものである。
【００２９】
前記戻り管３２、風呂側入水管３３、風呂側熱交換器４、風呂側出湯管３４及び往き管３５は循環回路（追いだき回路）を構成しており、前記湯水混合路２５から分岐された分岐管２６は、バキュームブレーカ２７、落とし込み水電磁弁２８、水量センサ２９、逆止弁３０及び接続管３１を経て追いだき回路の往き管３５につながっている。
【００３０】
（給湯と追いだき同時運転の場合）
次に、風呂給湯装置１の給湯と追いだき同時運転時の動作を説明する。浴室内のリモートコントローラ（図示せず）等に設けられている給湯運転と風呂運転のスイッチをオンにすると、コントローラ６０は石油バーナー６を制御するため、石油バーナー６が所定の火力で燃焼し、給湯側熱交換器３及び風呂側熱交換器４を加熱する。このとき、コントローラ６０は、三方弁４２及び二方弁４４をそれぞれ制御し、三方弁４２及び二方弁４４を半開状態にする。具体的には、図６（ａ）（ｂ）に示す如く三方弁４２は缶体側５５°の多少絞りぎみで、且つ二方弁４４は３５°に設定する。（同図（ａ）のＡ位置）
【００３１】
フィルタ１７を通して給水路１４から導入された水（市水）は、石油バーナー６の燃焼中においては給湯側熱交換器３を通過しながら加熱され、給湯側熱交換器３から給湯路１５へ送り出される。また、給水路１４から導入された一部の水は、給湯側バイパス路１６を流通するため、給湯側熱交換器３で加熱された湯と混合されて湯水混合路２５へ供給され、設定温度に調整された湯は給湯栓２４等から出湯される。また、熱交換器温度センサ４６は給湯側熱交換器３内を流通する湯の温度を検出し、その信号がコントローラ６０に入力される。
【００３２】
また、循環ポンプ３９を運転して風呂側熱交換器４に浴槽４７内の湯を循環させる。よって、図１に示すように、風呂側熱交換器４内を加熱されながら循環した湯と気泡発生用バイパス路３７を通過した低温の湯とが混合して循環金具４８から吐出される。ここで、風呂側熱交換器４と給湯側熱交換器３とは単体の缶体内で且つ単体の石油バーナー６で加熱されるため、両方の熱交換器３、４内を流通する湯の温度は同等になる。風呂側熱交換器４を循環する湯の温度が高温となっても、気泡発生用バイパス路３７を通過した低温の湯と混合されて循環金具４８から吐出されるので、入浴者に不快感や熱感を与える恐れがほとんどない。
【００３３】
（給湯を停止して追いだき運転する場合）
次に、給湯を停止して追いだき運転する場合について説明する。給湯・風呂同時ポジション（図５ステップ（１））から、給湯栓２４を閉止すると（図５ステップ（２））、給湯側熱交換器３側には、水が流れなくなるため、水量センサ１８は、給湯停止を検出し、その信号がコントローラ６０に入力される。コントローラ６０は、給湯が停止したと判断し、石油バーナー６をオン・オフ制御に切り替え、石油バーナー６の燃焼を一旦停止させる。
【００３４】
石油バーナー６が停止しても、缶体内の予熱により、風呂側熱交換器４内を循環する湯と、給湯側熱交換器３内の湯は加熱されることとなる。このとき、風呂側熱交換器４内の湯のみが流通するため、この風呂側熱交換器４側の湯が予熱と熱交換することとなり、風呂側熱交換器４内を流通する湯の温度が一時的に高くなる。
【００３５】
気泡発生用バイパス路３７の二方弁４４は半開状態であるため、図３に示す如く低温の湯水は気泡発生用バイパス路３７を通過し、加熱されて高温になり往き管３５を流れる湯と混合される。このため、循環金具４８から吐出される湯は、高温度になることはなく、入浴者は、吐出される湯の温度が熱く感じることはない。
【００３６】
更に、石油バーナー６が停止していることから、風呂側熱交換器４内を流通する湯が缶体内の熱を奪うと、缶体内の温度が次第に低下することとなる。この温度を前記熱交換器温度センサ４６が検知し、コントローラ６０は、その検知温度Ｔｈと設定温度Ｔｓ（例えば、６０°Ｃ）とを比較する（図５ステップ（３））。
【００３７】
給湯及び風呂の同時使用時には、石油バーナー６は給湯側に対応して燃焼が制御されていることから、石油バーナー６の停止直後では、検知温度Ｔｈは設定温度Ｔｓよりも高くなる。従って、コントローラ６０は、二方弁４４を半開状態のまま作動させることはなく、低温の湯水は気泡発生用バイパス路３７を流れ、往き管３５を流れる湯と混合される。
【００３８】
次第に缶体内の温度が低下するため、検知温度Ｔｈが所定温度Ｔｓと以下となると、コントローラ６０は、二方弁４４及び三方弁４２を風呂単独ポジションに制御する。即ち、コントローラ６０は、図６（ａ）に示す如く二方弁４４を閉止させ（Ｂ位置）、循環する湯が気泡発生用バイパス路３７内には流入するのを阻止する。更に、三方弁４２を略４０°まで若干開き風呂単独ポジションとする（Ｃ位置）（図５ステップ（４））。
【００３９】
更に、前記熱交換器温度センサ４６で検出される湯の温度が、石油バーナー６をオン・オフ制御する際の所定温度になった場合には、コントローラ６０は、石油バーナー６を燃焼させて追いだきをする。その後、浴槽４７内の温度が設定温度となると、石油バーナー６の燃焼を停止する。
【００４０】
次に、風呂単独使用から給湯及び風呂の両方を使用の場合には、図６（ａ）に示す如く三方弁４２の開度を一定にした状態で二方弁４４を開放し（Ｄ位置）、更に、三方弁４２を絞る方向（Ａ位置）に制御する。
【００４１】
ここで、給湯・風呂同時ポジションと風呂単独ポジション間の三方弁４２及び二方弁４４の開度調整は、図６（ａ）に示す如く、Ａ（給湯・風呂同時ポジション）→Ｂ（二方弁閉止・三方弁５５°開放ポジション）→Ｃ（二方弁閉止・三方弁４０°開放ポジション）→Ｄ（二方弁３５°開放・三方弁４０°開放ポジション）→Ａの順に行なったが、仮想線で示す如くＡ→Ｃの順に行なっても良い。かかる場合には、三方弁４２及び二方弁４４を同時に制御することとなる。
【００４２】
尚、給湯・風呂同時ポジションから風呂単独ポジションへの変更は、Ａ→Ｄ→Ｃの順に行なうのは好ましくない。何故なら、二方弁４４を開いた状態で三方弁４２を更に開くため、循環回路を流れる湯量が多くなり、エア管４５からエアを巻き込んで気泡が湯に混ざって循環金具４８から吐出されるおそれがあるからである。
【００４３】
仮に、給湯・風呂同時ポジションと風呂単独ポジションとを頻繁に切り替える場合であっても、給湯側熱交換器３の湯の温度を検出し、その温度が設定温度まで下がるまでは、二方弁４４は作動しないように、二方弁４４に遅延性・ランダム性を持たせているため、ポジションの変更ごとに二方弁４４は動作することなく、弁の駆動耐久性を向上することが可能となる。
【００４４】
尚、本発明は、上記実施の形態に限定されるものではなく、例えば、熱交換器温度センサ４６は、図２に仮想線で示す如く風呂側熱交換器４側に設けて良く、または、給湯側熱交換器３及び風呂側熱交換器４の両方に設けることも可能である。
【００４５】
更に、二方弁４４を閉じるタイミングは、上記実施の形態では、給湯停止から給湯側熱交換器３内の湯の温度が設定温度まで下がる時間遅延させ、二方弁４４を閉じるタイミングを確実とものとしているが、タイマーを設けて所定の時間経過した後に、二方弁４４を閉じるようにすることも可能である。
また、風呂単独ポジション時の石油バーナー６の制御は、オン・オフ制御に限らず、給湯・風呂同時ポジションよりも発熱量を減少させて連続的に燃焼する場合であっても良い。
【００４６】
【発明の効果】
以上のように、本発明の風呂給湯装置の制御方法は、センサにより検出された検知温度と設定温度とを比較し、湯の温度が設定温度よりも高い場合には、風呂側熱交換器及びバイパス路の両方に湯を循環させ、湯の温度が設定温度以下になった場合には、開閉手段によりバイパス路を閉じて浴槽内に吐出される湯の温度を制御するようにしたので、給湯・風呂同時ポジションから、風呂単独ポジションに変更する場合に、浴槽内に吐出される湯の温度が、一時的に高温となるピークを下げることができ、入浴者に不快感等を与えるおそれがない。
【００４７】
また、本発明の風呂給湯装置の制御装置は、上記方法を容易に実施できる。しかも、給湯・風呂同時ポジションと風呂単独ポジションとを頻繁に切り替える場合であっても、熱交換器の湯の温度を検出し、その温度が設定温度まで下がるまでは、二方弁４４は作動しないため、弁の駆動耐久性を向上することが可能となる。
【図面の簡単な説明】
【図１】  本発明の一実施形態の風呂給湯装置の制御装置を示す概略図である。
【図２】  同風呂給湯装置を示す全体構成図である。
【図３】  同風呂給湯装置において湯の検知温度が設定温度よりも高温の場合の運転状態を示す概略図である。
【図４】  同風呂給湯装置において湯の検知温度が設定温度以下の場合の運転状態を示す概略図である。
【図５】  給湯・風呂同時ポジションから風呂単独ポジションに変更する動作を示すフロー図である。
【図６】  （ａ）は給湯・風呂同時ポジションと風呂単独ポジション間の三方弁及び二方弁の開度状態の変化を示す図、（ｂ）は三方弁及び二方弁における給湯・風呂同時ポジションと風呂単独ポジションの開度を示す図である。
【図７】  （ａ）（ｂ）は三方弁の構造をそれぞれ示す概略断面図である。
【符号の説明】
２    缶体
３    給湯側熱交換器
４    風呂側熱交換器
６    燃焼装置（石油バーナ）
３７  バイパス路（気泡発生用バイパス路）
４４  二方弁（開閉手段）
４６  センサ（熱交換器温度センサ）
４７  浴槽
６０  制御手段（コントローラ）
【図１】
0003651648.tif 000002
【図２】
0003651648.tif 000003
【図３】
0003651648.tif 000004
【図４】
0003651648.tif 000005
【図５】
0003651648.tif 000006
【図６】
0003651648.tif 000007
【図７】
0003651648.tif 000008